(57)【要約】【課題】  購入者にとって不適合な薬剤を誤って購入しないように予防できる薬剤購入判定システムを提供することを目的とする。【解決手段】  可搬記憶媒体は、投薬情報エリアと、顧客が副作用の症状を起こしたことがある薬剤の成分を記録する副作用薬剤情報エリアとが設けられ、処理装置は、薬剤成分情報データベースと、可搬記憶媒体用リーダライタを介して、可搬記憶媒体に記憶された投薬情報及び副作用薬剤情報を読み取る手段と、ＩＤ番号リーダにより顧客が購入予定の薬剤の管理用ＩＤ番号を読み取る手段と、読み取った管理用ＩＤ番号に基づき薬剤成分情報データベースから薬剤の成分を抽出する薬剤成分抽出手段と、薬剤成分抽出手段で抽出された薬剤成分と、可搬記憶媒体から読み取った投薬情報及び副作用薬剤情報の薬剤成分とを比較して副作用が生じる恐れを判定する副作用判定手段と、副作用が生じる恐れが有る際に警告を促す警告手段とを備えている。【選択図】        図1
2006113762.tif 000002
【特許請求の範囲】
【請求項１】
薬剤を購入する顧客が所持する可搬記憶媒体と、可搬記憶媒体用リーダライタ及び薬剤の包装に付加されている管理用ＩＤ番号を読み取るＩＤ番号リーダを有する処理装置とからなり、顧客が購入予定の薬剤に関して、前記顧客が服用した際に副作用を生じる危険性があるか否かを判定することができる薬剤購入判定システムであって、
前記可搬記憶媒体は、服用中の薬剤の成分を記録する投薬情報エリアと、前記顧客が過去の服用で副作用の症状を起こしたことがある薬剤の成分を記録する副作用薬剤情報エリアとが設けられ、
前記処理装置は、薬剤の成分が登録された薬剤成分情報データベースと、前記可搬記憶媒体用リーダライタを介して、前記可搬記憶媒体に記憶された投薬情報及び副作用薬剤情報を読み取る手段と、前記ＩＤ番号リーダにより、店舗において顧客が購入予定の薬剤の管理用ＩＤ番号を読み取る手段と、その読み取った管理用ＩＤ番号に基づいて、前記薬剤成分情報データベースから薬剤の成分を抽出する薬剤成分抽出手段と、前記薬剤成分抽出手段で抽出された薬剤成分と、前記可搬記憶媒体から読み取った投薬情報及び副作用薬剤情報の薬剤成分とを比較して、前記顧客が購入予定の薬剤を服用した場合に副作用が生じる恐れの有無を判定する副作用判定手段と、前記副作用判定手段により副作用が生じる恐れが有ると判定された際に警告を促す警告手段と、
を備えていることを特徴とする薬剤購入判定システム。
【発明の詳細な説明】
【技術分野】
【０００１】
本発明は、顧客が購入予定の薬剤に関して、顧客がその薬剤を服用した際に副作用を生じる危険性があるか否かを判定して顧客に知らせることができる薬剤購入判定システムに関する。
【背景技術】
【０００２】
従来、病院などの医療機関で診察を受けた場合には、医師が処方した処方箋に基づき、薬局で薬剤師が薬剤の調合を行なったり、取り揃えるなどして患者に渡している。
医師は、患者に投与する薬剤を決める際には、患者がアレルギー体質であるのか、投与する薬剤に副作用の危険性がないか、同時に服用する薬剤との相性などを考慮して患者に応じて安全で適切な薬剤を選択する必要がある。
【０００３】
近年の医薬分業が行なわれている状況において、医師が処方した処方箋に基づいて患者に薬剤を調剤する調剤薬局においても、処方された薬剤の安全性を確認するために、コンピュータを用いた薬歴管理システムが提案されている。（例えば、特許文献１、参照）
また、ＩＣカードを用いて、処方箋情報や薬歴情報を管理するＩＣカードを利用した薬歴管理システムも提案されている。（例えば、特許文献２、参照）
【特許文献１】特開２００３−１０８６６７号公報
【特許文献２】特開平５−１４３６２０号公報
【０００４】
しかしながら、従来提案されている薬歴管理システムは、医師や薬剤師が利用するシステムであり、薬局店などで顧客に直接市販されている薬剤を対象とした顧客向けのシステムではない。
一方、近年の医薬品販売の規制緩和により、一般の小売店や薬局で顧客に直接市販可能な薬剤の種類が増えてきている。
したがって、薬剤を購入する際に、顧客である購入者自身により、購入する薬剤が自分の体質に対してアレルギー反応を起こす危険性がないのか、または、副作用の危険性がないのか、既に服用中の他の薬剤との相性が悪くないのかなど、薬剤を購入する際に考慮しなければならない点がある。
【０００５】
つまり、顧客自身で安全で適切な薬剤を選択して購入するように注意しなければならなくなってきている。
しかしながら、顧客である購入者が、市販されている薬剤を購入する際に、短時間で効率的にそれらの薬剤に関する副作用情報や飲み合わせ情報などを確認したくても簡単にそれらの情報を入手することができないという問題がある。
【発明の開示】
【発明が解決しようとする課題】
【０００６】
本発明は、顧客である購入者自身が、一般小売店で市販されている薬剤を購入する際に、購入しようとする薬剤に関する副作用情報や飲み合わせ情報などを入手可能にして、その薬剤が購入者に適合する薬剤であるのか、または不適合な薬剤であるのかの判定を行なえるようにして、購入者にとって不適合な薬剤を誤って購入しないように予防できる薬剤購入判定システムを提供することを目的とする。
【課題を解決するための手段】
【０００７】
本発明の薬剤購入判定システムは、薬剤を購入する顧客が所持する可搬記憶媒体と、可搬記憶媒体用リーダライタ及び薬剤の包装に付加されている管理用ＩＤ番号を読み取るＩＤ番号リーダを有する処理装置とからなり、顧客が購入予定の薬剤に関して、前記顧客が服用した際に副作用を生じる危険性があるか否かを判定することができる薬剤購入判定システムであって、前記可搬記憶媒体は、服用中の薬剤の成分を記録する投薬情報エリアと、前記顧客が過去の服用で副作用の症状を起こしたことがある薬剤の成分を記録する副作用薬剤情報エリアとが設けられ、前記処理装置は、薬剤の成分が登録された薬剤成分情報データベースと、前記可搬記憶媒体用リーダライタを介して、前記可搬記憶媒体に記憶された投薬情報及び副作用薬剤情報を読み取る手段と、前記ＩＤ番号リーダにより、店舗において顧客が購入予定の薬剤の管理用ＩＤ番号を読み取る手段と、その読み取った管理用ＩＤ番号に基づいて、前記薬剤成分情報データベースから薬剤の成分を抽出する薬剤成分抽出手段と、前記薬剤成分抽出手段で抽出された薬剤成分と、前記可搬記憶媒体から読み取った投薬情報及び副作用薬剤情報の薬剤成分とを比較して、前記顧客が購入予定の薬剤を服用した場合に副作用が生じる恐れの有無を判定する副作用判定手段と、前記副作用判定手段により副作用が生じる恐れが有ると判定された際に警告を促す警告手段と、を備えていることを特徴とする。
【発明の効果】
【０００８】
本発明の薬剤購入判定システムは、薬剤購入者が薬店などで市販されている薬剤を購入する際に、薬剤を購入する購入者自身の投薬情報と副作用薬剤情報とが記憶されている可搬記憶媒体を使用して、これから購入しようとする薬剤について適合する薬剤であるのか、または不適合な薬剤であるのかの判定情報を入手することができるので、副作用などが生じる恐れのある薬剤を購入するのを防止することができるという効果がある。
【発明を実施するための最良の形態】
【０００９】
以下、図面を参照しながら本発明の実施形態を詳述する。
図１は、本発明の実施形態に係る薬剤購入判定システムの概要構成を示す図、図２は、同薬剤購入判定システムに使用されるＩＣカードのシステムブロック図、図３は、本発明の実施形態に係る薬剤購入判定システムのシステムブロック図、図４は、同薬剤購入判定システムに使用される処理装置の薬剤成分情報データベースの登録内容を示す図、図５は、本発明の実施形態に係る薬剤購入判定システムの処理手順を示すフローチャートである。
【００１０】
本発明の実施形態に係る薬剤購入判定システムは、薬剤を購入する顧客が所持する可搬記憶媒体であるＩＣカード１と、可搬記憶媒体用リーダライタであるＩＣカードリーダライタ２及び薬剤の包装に付加されている管理用ＩＤ番号を読み取るＩＤ番号リーダであるバーコードリーダ３を有する処理装置４とから構成されている。
これらのＩＣカードリーダライタ２及びバーコードリーダ３を有する処理装置４は、顧客に薬剤を販売している薬局店などに備えられ、顧客が薬剤の購入を行なう前の段階で、顧客が所持するＩＣカード１に記憶されている情報をＩＣカードリーダライタ２で読み取ると共に、その顧客が購入しようと思っている薬剤５にバーコード１８で表示されている薬剤管理用ＩＤ番号を、バーコードリーダ３により読み取れるようにしてある。
これにより、顧客は、購入しようと思っている薬剤について、購入する前の段階で、その薬剤が現在服用中の薬剤との相性や、副作用の恐れについて調べることができるようにしてある。
【００１１】
これらＩＣカードリーダライタ２及びバーコードリーダ３を有する処理装置４は、薬局店などにおいて顧客自身が自由に使用できる場所に備え、顧客が購入しようと思う薬剤について、副作用の危険性などを調べたい時に顧客自身が何時でも操作可能するようにしてもよいし、また、店員が顧客からの依頼を受けて調べるようにするために、店員だけが操作するような状態で備えるようにしてもよい。
いずれにしても、顧客が薬剤を購入する前に調べることができるように備えられている。
また、ＩＣカード１は、薬局店などが顧客に発行するポイントサービスカードなどと併用してもよく、これらのサービスを提供する薬局店側から会員カードなどとして予め発行される。
【００１２】
顧客が所持するＩＣカード１は、ＩＣチップが内蔵されたＩＣモジュールがカード基材に埋設されて備えられている。
そして、図２に示すように、ＩＣチップが内蔵されたＩＣモジュールには、ＣＰＵ６、読み出し専用メモリ（ＲＯＭ）７、書き換え可能な不揮発性メモリ（ＥＥＰＲＯＭ）８、揮発性メモリ（ＲＡＭ）９が備えられている。
また、更に電源電圧を供給するＶＣＣ端子１０、接地用のＧＮＤ端子１１、リセット信号を供給するＲＳＴ端子１２、クロック信号を供給するＣＬＫ端子１３、データ入出力用のＩ／Ｏ端子１４が備えられている。
【００１３】
そして、ＥＥＰＲＯＭ８には、そのＩＣカード１の使用者が正規の使用権を有する本人であるか否かを検証する際に用いる暗証番号１５が、予め登録されている。
更に、ＥＥＰＲＯＭ８には、現在服用中の薬剤の成分を記憶させておく投薬情報エリア１６と、過去の服用において副作用の症状を起こしたことのある薬剤の成分を記憶させておく副作用薬剤情報エリア１７とが備えられている。
【００１４】
処理装置４には、バーコードリーダ３を接続するインターフェース１９、ＩＣカードリーダライタ２を接続するインターフェース２０、表示手段２１、入力手段２２、記憶手段２３、薬剤成分抽出手段２４、副作用判定手段２５、警告手段２６、薬剤成分情報データベース２７、制御手段２８、照合手段２９などが備えられている。
薬剤成分情報データベース２７には、図４に示すように、薬剤５にバーコード１８で表示されている薬剤管理用ＩＤ番号と、その薬剤に含有されている薬剤成分の情報とが関係付けられて登録されている。
したがって、バーコードリーダ３により市販されている薬剤に表示されているバーコードを読み取ることで、薬剤成分情報データベース２７に基づいて、薬剤成分抽出手段２４によりその薬剤に含有されている成分が抽出されて調べられるようになっている。
【００１５】
副作用判定手段２５は、薬剤成分抽出手段２４で抽出された薬剤成分と、ＩＣカードリーダライタでＩＣカード１から読み取った投薬情報及び副作用薬剤情報の薬剤成分とを比較して、その顧客が購入予定の薬剤を服用した場合に副作用を生じる恐れがあるか否かを判定する機能を有している。
また、警告手段２６は、副作用判定手段２５による判定において、顧客が購入予定の薬剤が、副作用の危険性があると判定された場合や、現在服用中の薬剤と相性が悪いと判定された場合に、表示手段に警告の表示を出したり、警告音を発生させたり、ランプを点滅させるなどして、顧客に知らせる機能を有している。
したがって、警告手段２６として、警告音発生用のスピーカや、警告ランプなどを設けるようにしてもよい。
【００１６】
また、照合手段２９は、ＩＣカード１の使用者が本人であるか否かを認証するために、ＩＣカード１に記憶されている暗証番号と、入力された暗証番号とによる照合処理を行なう機能を有している。
【００１７】
次に、本発明の実施形態に係る薬剤購入判定システムの処理手順を図５のフローチャートに基づいて説明する。
薬局店内には、顧客が自由に使用できる状態で、ＩＣカードリーダライタ２及びバーコードリーダ３を有する処理装置４が設置されている。
まず、薬局店などで薬剤の購入を行なう顧客は、購入をしようと思う薬剤を選んだ後に、所持しているＩＣカード１をＩＣカードリーダライタ２のカード挿入口に挿入してセットする。（ステップＳ１）
ＩＣカードリーダライタ２は、ＩＣカード１に記憶されている暗証番号を読み取り、処理装置４に暗証番号が送られる。（ステップＳ２）
【００１８】
次に、顧客は、処理装置４の入力手段２２から暗証番号の入力を行なう。（ステップＳ３）
そして、処理装置４の照合手段２９により、ＩＣカード１から読み取られた暗証番号と、入力された暗証番号を照合処理が行なわれる。（ステップＳ３）
この照合処理の結果、照合一致した場合には、本人認証が認められて次の処理に進むことができるが、照合不一致の場合には、処理が停止され終了する。
【００１９】
本人認証が認められた後、その顧客は、購入しようと思っている薬剤に表示されているバーコードをバーコードリーダ３により読み取る。（ステップＳ４）
バーコードリーダ３により読み取られたバーコードは、薬剤管理用ＩＤ番号であるので、薬剤成分情報データベース２７から、その薬剤管理用ＩＤ番号に関係付けられて登録されている薬剤成分情報を抽出して、一旦記憶手段２３に記憶させる。（ステップＳ５）
【００２０】
次に、ＩＣカードリーダライタ２により、ＩＣカード１に記憶されている投薬情報及び副作用薬剤情報とを読み取った後、処理装置４の記憶手段２３に記憶させる。（ステップＳ６）
そして、記憶手段２３に記憶された薬剤成分情報と、投薬情報及び副作用薬剤情報とに基づいて、副作用判定手段２５により副作用を生じる恐れの有無の判定が行なわれる。（ステップＳ７）
【００２１】
この副作用判定手段２５での判定で、副作用を生じる恐れがないと判定された場合には、表示手段に「副作用を生じる恐れがない」との表示が行なわれる。（ステップＳ８）
また、副作用判定手段２５での判定で、副作用を生じる恐れがあると判定された場合には、表示手段２１に「副作用を生じる恐れがある」との表示が行なわれ、更に警告手段２６による警告として、警告音発生用のスピーカから警告音が発生されると共に、警告ランプの点灯が行なわれる。（ステップＳ９）
【００２２】
尚、上記の実施形態では、薬剤の管理用ＩＤ番号をバーコードにより薬剤の包装に表示させた場合の例で説明したが、これに限らず、薬剤の包装に管理用ＩＤ番号が記憶させたＩＣタグなどを設けておき、非接触方式のＩＤ番号リーダを用いて、これらの管理用ＩＤ番号を読み散るようにしておいてもよい。
【図面の簡単な説明】
【００２３】
【図１】本発明の実施形態に係る薬剤購入判定システムの概要構成を示す図である。
【図２】同薬剤購入判定システムに使用されるＩＣカードのシステムブロック図である。
【図３】本発明の実施形態に係る薬剤購入判定システムのシステムブロック図である。
【図４】同薬剤購入判定システムに使用される処理装置の薬剤成分情報データベースの登録内容を示す図である。
【図５】本発明の実施形態に係る薬剤購入判定システムの処理手順を示すフローチャートである。
【符号の説明】
【００２４】
１  ＩＣカード
２  ＩＣカードリーダライタ
３  バーコードリーダ
４  処理装置
５  薬剤
６  ＣＰＵ
７  読み出し専用メモリ（ＲＯＭ）
８  書き換え可能な不揮発性メモリ（ＥＥＰＲＯＭ）
９  揮発性メモリ（ＲＡＭ）
１０  ＶＣＣ端子
１１  接地用のＧＮＤ端子
１２  ＲＳＴ端子
１３  ＣＬＫ端子
１４  Ｉ／Ｏ端子
１５  暗証番号
１６  投薬情報エリア
１７  副作用薬剤情報エリア
１８  バーコード
１９，２０  インターフェース
２１  表示手段
２２  入力手段
２３  記憶手段
２４  薬剤成分抽出手段
２５  副作用判定手段
２６  警告手段
２７  薬剤成分情報データベース
２８  制御手段
２９  照合手段
【図１】
2006113762.tif 000003
【図２】
2006113762.tif 000004
【図３】
2006113762.tif 000005
【図４】
2006113762.tif 000006
【図５】
2006113762.tif 000007